【手続補正書】
【提出日】平成27年6月5日(2015.6.5)
【手続補正１】
【補正対象書類名】特許請求の範囲
【補正対象項目名】全文
【補正方法】変更
【補正の内容】
【特許請求の範囲】
【請求項１】
イベント種別に対して、制御対象機器における動作を制御するための動作制御情報を含むイベント定義テンプレートを登録した記憶部と、
前記制御対象機器の動作を制限する設定を行なうイベント管理手段とを含んで構成された情報管理システムであって、
前記イベント管理手段は、
イベント種別について、イベント場所とイベント期間、イベントへの参加者により定められたイベント要件を取得し、
前記記憶部において、前記イベント種別に対応するイベント定義テンプレートを特定し、
前記イベント定義テンプレートに含まれる動作制御情報を用いて、前記イベント要件に記録されたイベント場所とイベント期間において、イベントへの参加者に対応した制御対象機器を制御するためのイベント定義を生成することを特徴とする情報管理システム。
【請求項２】
イベント種別に対して、制御対象機器における動作を制御するための動作制御情報を含むイベント定義テンプレートを登録した記憶部と、
前記制御対象機器の動作を制限する設定を行なうイベント管理手段とを含んで構成された情報管理システムであって、
前記イベント管理手段は、
イベント種別について、イベント場所とイベント期間、イベントへの参加者により定められたイベント要件を取得し、
前記記憶部において、前記イベント種別に対応するイベント定義テンプレートを特定し、
前記イベント要件に記録された参加者が利用する制御対象機器を特定し、
前記制御対象機器に対して、イベント場所とイベント期間を要素とするイベント条件について、前記イベント定義テンプレートに含まれる動作制御情報からなるイベント定義を設定することを特徴とする情報管理システム。
【請求項３】
イベント種別に対して、制御対象機器における動作を制御するための動作制御情報を含むイベント定義テンプレートを登録した記憶部と、
前記制御対象機器の動作を制限する設定を行なうイベント管理手段と、
前記制御対象機器とから構成された情報管理システムであって、
前記イベント種別について、イベント場所とイベント期間、イベントへの参加者により定められたイベント要件に含まれる参加者が利用する制御対象機器は、
現在位置と現在日時とを含む現在状況を特定し、
イベントへの参加者が利用する制御対象機器に対して、イベント場所とイベント期間を要素とするイベント条件について、前記記憶部に登録された前記イベント種別に対応するイベント定義テンプレートに含まれる動作制御情報からなるイベント定義と、前記現在状況とを比較し、
この比較結果に応じて、前記動作制御情報に基づいて、前記制御対象機器の動作を制御することを特徴とする情報管理システム。
【請求項４】
前記制御対象機器は、前記現在状況と前記イベント条件との比較結果において一部に不整合がある場合、不整合の内容を確認するためのセキュリティ確認処理を実行し、
前記セキュリティ確認処理において、不整合の内容に問題がないことを確認ができた場合に、前記比較結果において不整合がない場合の動作制御情報に基づいて、前記制御対象機器の動作を制御することを特徴とする請求項３に記載の情報管理システム。
【請求項５】
前記不整合の内容が予め定められた許容範囲内にある場合に、前記セキュリティ確認処理を実行することを特徴とする請求項４に記載の情報管理システム。
【請求項６】
前記制御対象機器において、セキュリティが確保された場所の特定情報に関連付けたセキュリティエリア動作制御情報と、セキュリティが確保されていない場所の特定情報に関連付けた非セキュリティエリア動作制御情報とを初期設定しておくことを特徴とする請求項１〜５の何れか１項に記載の情報管理システム。
【請求項７】
前記イベント定義テンプレートにおいては、イベント種別に対して、前記イベント場所及びイベント期間に付随する期間における動作制御情報が設定されていることを特徴とする請求項１〜６の何れか１項に記載の情報管理システム。
【請求項８】
前記制御対象機器は、イベントにおいて利用するファイルが格納されたファイルサーバに、ネットワークを介して接続されており、
前記イベント要件は、イベントにおいて利用するファイルのファイル識別子を含んで構成されており、
前記動作制御情報には、前記イベント要件に対して、ファイルのアクセス権限が設定されており、
前記制御対象機器は、
前記イベント期間前に、前記イベント要件に含まれるファイル識別子のファイルを前記ファイルサーバから取得し、前記制御対象機器内の一時記憶手段に格納し、
前記比較結果に応じて、前記一時記憶手段に格納されたファイルであって、前記動作制御情報により設定されたアクセス権限に基づいて、前記ファイルへのアクセスを許可することを特徴とする請求項１〜７の何れか１項に記載の情報管理システム。
【請求項９】
前記制御対象機器の一時記憶手段には、アクセス権限に対応したフォルダが設けられており、
前記制御対象機器は、
イベントにおいて用いるファイルを、前記イベント要件において設定されたアクセス権限に応じたフォルダに格納し、
前記動作制御情報により設定されたアクセス権限に基づいて、各フォルダへのアクセスを許可することを特徴とする請求項８に記載の情報管理システム。
【請求項１０】
前記制御対象機器は、前記比較結果においてイベント場所から離れたことを検知した場合、又はイベント期間の終了を検知した場合、前記一時記憶手段に格納されたファイルを消去することを特徴とする請求項８又は９に記載の情報管理システム。
【請求項１１】
前記動作制御情報は、アプリケーションのアプリケーション識別子を含んでおり、
前記制御対象機器は、前記比較結果に応じて、前記動作制御情報に含まれるアプリケーション識別子のアプリケーションの動作を制御することを特徴とする請求項１〜１０の何れか１項に記載の情報管理システム。
【請求項１２】
前記動作制御情報には、前記制御対象機器のセキュリティロックを起動するまでの待機時間を含んでおり、
前記制御対象機器は、前記比較結果に応じて、前記動作制御情報に含まれる待機時間に基づいてセキュリティロックを起動することを特徴とする請求項１〜１１の何れか１項に記載の情報管理システム。
【請求項１３】
前記イベント管理手段は、特定の期間内に行なわれる、予め設定された相互関係がある複数のイベントからなるイベント群を特定した場合、前記イベント群に含まれる一部のイベントの動作制御情報に基づいて、前記イベント群に含まれる他のイベントの動作制御情報を修正することを特徴とする請求項１〜１２の何れか１項に記載の情報管理システム。
【請求項１４】
イベント種別に対して、制御対象機器における動作を制御するための動作制御情報を含むイベント定義テンプレートを登録した記憶部と、
前記制御対象機器の動作を制限する設定を行なうイベント管理手段とを含んで構成された情報管理システムを用いて、情報管理を行なう方法であって、
前記イベント管理手段は、
イベント種別について、イベント場所とイベント期間、イベントへの参加者により定められたイベント要件を取得し、
前記記憶部において、前記イベント種別に対応するイベント定義テンプレートを特定し、
前記イベント定義テンプレートに含まれる動作制御情報を用いて、前記イベント要件に記録されたイベント場所とイベント期間において、イベントへの参加者に対応した制御対象機器を制御するためのイベント定義を生成することを特徴とする情報管理方法。
【請求項１５】
イベント種別に対して、制御対象機器における動作を制御するための動作制御情報を含むイベント定義テンプレートを登録した記憶部と、
前記制御対象機器の動作を制限する設定を行なうイベント管理手段とを含んで構成された情報管理システムを用いて、情報管理を行なう方法であって、
前記イベント管理手段は、
イベント種別について、イベント場所とイベント期間、イベントへの参加者により定められたイベント要件を取得し、
前記記憶部において、前記イベント種別に対応するイベント定義テンプレートを特定し、
前記イベント要件に記録された参加者が利用する制御対象機器を特定し、
前記制御対象機器に対して、イベント場所とイベント期間を要素とするイベント条件について、前記イベント定義テンプレートに含まれる動作制御情報からなるイベント定義を設定することを特徴とする情報管理方法。
【請求項１６】
イベント種別に対して、制御対象機器における動作を制御するための動作制御情報を含むイベント定義テンプレートを登録した記憶部と、
前記制御対象機器の動作を制限する設定を行なうイベント管理手段と、
前記制御対象機器とから構成された情報管理システムを用いて、情報管理を行なう方法であって、
前記イベント種別について、イベント場所とイベント期間、イベントへの参加者により定められたイベント要件に含まれる参加者が利用する制御対象機器は、
現在位置と現在日時とを含む現在状況を特定し、
イベントへの参加者が利用する制御対象機器に対して、イベント場所とイベント期間を要素とするイベント条件について、前記記憶部に登録された前記イベント種別に対応するイベント定義テンプレートに含まれる動作制御情報からなるイベント定義と、前記現在状況とを比較し、
この比較結果に応じて、前記動作制御情報に基づいて、前記制御対象機器の動作を制御することを特徴とする情報管理方法。
【手続補正２】
【補正対象書類名】明細書
【補正対象項目名】００１４
【補正方法】変更
【補正の内容】
【００１４】
上記問題点を解決するために、請求項１に記載の発明は、イベント種別に対して、制御対象機器における動作を制御するための動作制御情報を含むイベント定義テンプレートを登録した記憶部と、前記制御対象機器の動作を制限する設定を行なうイベント管理手段とを含んで構成された情報管理システムであって、前記イベント管理手段は、イベント種別について、イベント場所とイベント期間、イベントへの参加者により定められたイベント要件を取得し、前記記憶部において、前記イベント種別に対応するイベント定義テンプレートを特定し、前記イベント定義テンプレートに含まれる動作制御情報を用いて、前記イベント要件に記録されたイベント場所とイベント期間において、イベントへの参加者に対応した制御対象機器を制御するためのイベント定義を生成することを要旨とする。
更に、請求項２に記載の発明は、イベント種別に対して、制御対象機器における動作を制御するための動作制御情報を含むイベント定義テンプレートを登録した記憶部と、前記制御対象機器の動作を制限する設定を行なうイベント管理手段とを含んで構成された情報管理システムであって、前記イベント管理手段は、イベント種別について、イベント場所とイベント期間、イベントへの参加者により定められたイベント要件を取得し、前記記憶部において、前記イベント種別に対応するイベント定義テンプレートを特定し、前記イベント要件に記録された参加者が利用する制御対象機器を特定し、前記制御対象機器に対して、イベント場所とイベント期間を要素とするイベント条件について、前記イベント定義テンプレートに含まれる動作制御情報からなるイベント定義を設定することを要旨とする。
更に、請求項３に記載の発明は、イベント種別に対して、制御対象機器における動作を制御するための動作制御情報を含むイベント定義テンプレートを登録した記憶部と、前記制御対象機器の動作を制限する設定を行なうイベント管理手段と、前記制御対象機器とから構成された情報管理システムであって、前記イベント種別について、イベント場所とイベント期間、イベントへの参加者により定められたイベント要件に含まれる参加者が利用する制御対象機器は、現在位置と現在日時とを含む現在状況を特定し、イベントへの参加者が利用する制御対象機器に対して、イベント場所とイベント期間を要素とするイベント条件について、前記記憶部に登録された前記イベント種別に対応するイベント定義テンプレートに含まれる動作制御情報からなるイベント定義と、前記現在状況とを比較し、この比較結果に応じて、前記動作制御情報に基づいて、前記制御対象機器の動作を制御することを要旨とする。
【手続補正３】
【補正対象書類名】明細書
【補正対象項目名】００１５
【補正方法】変更
【補正の内容】
【００１５】
請求項４に記載の発明は、請求項３に記載の情報管理システムにおいて、前記制御対象機器は、前記現在状況と前記イベント条件との比較結果において一部に不整合がある場合、不整合の内容を確認するためのセキュリティ確認処理を実行し、前記セキュリティ確認処理において、不整合の内容に問題がないことを確認ができた場合に、前記比較結果において不整合がない場合の動作制御情報に基づいて、前記制御対象機器の動作を制御することを要旨とする。
請求項５に記載の発明は、請求項４に記載の情報管理システムにおいて、前記不整合の内容が予め定められた許容範囲内にある場合に、前記セキュリティ確認処理を実行することを要旨とする。
請求項６に記載の発明は、請求項１〜５の何れか１項に記載の情報管理システムにおいて、前記制御対象機器において、セキュリティが確保された場所の特定情報に関連付けたセキュリティエリア動作制御情報と、セキュリティが確保されていない場所の特定情報に関連付けた非セキュリティエリア動作制御情報とを初期設定しておくことを要旨とする。
【手続補正４】
【補正対象書類名】明細書
【補正対象項目名】００１６
【補正方法】変更
【補正の内容】
【００１６】
請求項７に記載の発明は、請求項１〜６の何れか１項に記載の情報管理システムにおいて、前記イベント定義テンプレートにおいては、イベント種別に対して、前記イベント場所及びイベント期間に付随する期間における動作制御情報が設定されていることを要旨とする。
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】変更
【補正の内容】
【００１９】
請求項８に記載の発明は、請求項１〜７のいずれか一つに記載の情報管理システムにおいて、前記制御対象機器は、イベントにおいて利用するファイルが格納されたファイルサーバに、ネットワークを介して接続されており、前記イベント要件は、イベントにおいて利用するファイルのファイル識別子を含んで構成されており、前記動作制御情報には、前記イベント要件に対して、ファイルのアクセス権限が設定されており、前記制御対象機器は、前記イベント期間前に、前記イベント要件に含まれるファイル識別子のファイルを前記ファイルサーバから取得し、前記制御対象機器内の一時記憶手段に格納し、前記比較結果に応じて、前記一時記憶手段に格納されたファイルであって、前記動作制御情報により設定されたアクセス権限に基づいて、前記ファイルへのアクセスを許可することを要旨とする。
【手続補正８】
【補正対象書類名】明細書
【補正対象項目名】００２０
【補正方法】変更
【補正の内容】
【００２０】
請求項９に記載の発明は、請求項８に記載の情報管理システムにおいて、前記制御対象機器の一時記憶手段には、アクセス権限に対応したフォルダが設けられており、前記制御対象機器は、イベントにおいて用いるファイルを、前記イベント要件において設定されたアクセス権限に応じたフォルダに格納し、前記動作制御情報により設定されたアクセス権限に基づいて、各フォルダへのアクセスを許可することを要旨とする。
【手続補正９】
【補正対象書類名】明細書
【補正対象項目名】００２１
【補正方法】変更
【補正の内容】
【００２１】
請求項１０に記載の発明は、請求項８又は９に記載の情報管理システムにおいて、前記制御対象機器は、前記比較結果においてイベント場所から離れたことを検知した場合、又はイベント期間の終了を検知した場合、前記一時記憶手段に格納されたファイルを消去することを要旨とする。
【手続補正１０】
【補正対象書類名】明細書
【補正対象項目名】００２２
【補正方法】変更
【補正の内容】
【００２２】
請求項１１に記載の発明は、請求項１〜１０のいずれか一つに記載の情報管理システムにおいて、前記動作制御情報は、アプリケーションのアプリケーション識別子を含んでおり、前記制御対象機器は、前記比較結果に応じて、前記動作制御情報に含まれるアプリケーション識別子のアプリケーションの動作を制御することを要旨とする。
【手続補正１１】
【補正対象書類名】明細書
【補正対象項目名】００２３
【補正方法】変更
【補正の内容】
【００２３】
請求項１２に記載の発明は、請求項１〜１１のいずれか一つに記載の情報管理システムにおいて、前記動作制御情報には、前記制御対象機器のセキュリティロックを起動するまでの待機時間を含んでおり、前記制御対象機器は、前記比較結果に応じて、前記動作制御情報に含まれる待機時間に基づいてセキュリティロックを起動することを要旨とする。
【手続補正１２】
【補正対象書類名】明細書
【補正対象項目名】００２４
【補正方法】変更
【補正の内容】
【００２４】
請求項１３に記載の発明は、請求項１〜１２のいずれか一つに記載の情報管理システムにおいて、前記イベント管理手段は、特定の期間内に行なわれる、予め設定された相互関係がある複数のイベントからなるイベント群を特定した場合、前記イベント群に含まれる
一部のイベントの動作制御情報に基づいて、前記イベント群に含まれる他のイベントの動作制御情報を修正することを要旨とする。
【手続補正１３】
【補正対象書類名】明細書
【補正対象項目名】００２５
【補正方法】変更
【補正の内容】
【００２５】
請求項１４に記載の発明は、イベント種別に対して、制御対象機器における動作を制御するための動作制御情報を含むイベント定義テンプレートを登録した記憶部と、前記制御対象機器の動作を制限する設定を行なうイベント管理手段とを含んで構成された情報管理システムを用いて、情報管理を行なう方法であって、前記イベント管理手段は、イベント種別について、イベント場所とイベント期間、イベントへの参加者により定められたイベント要件を取得し、前記記憶部において、前記イベント種別に対応するイベント定義テンプレートを特定し、前記イベント定義テンプレートに含まれる動作制御情報を用いて、前記イベント要件に記録されたイベント場所とイベント期間において、イベントへの参加者に対応した制御対象機器を制御するためのイベント定義を生成することを要旨とする。
請求項１５に記載の発明は、イベント種別に対して、制御対象機器における動作を制御するための動作制御情報を含むイベント定義テンプレートを登録した記憶部と、前記制御対象機器の動作を制限する設定を行なうイベント管理手段とを含んで構成された情報管理システムを用いて、情報管理を行なう方法であって、前記イベント管理手段は、イベント種別について、イベント場所とイベント期間、イベントへの参加者により定められたイベント要件を取得し、前記記憶部において、前記イベント種別に対応するイベント定義テンプレートを特定し、前記イベント要件に記録された参加者が利用する制御対象機器を特定し、前記制御対象機器に対して、イベント場所とイベント期間を要素とするイベント条件について、前記イベント定義テンプレートに含まれる動作制御情報からなるイベント定義を設定することを要旨とする。
請求項１６に記載の発明は、イベント種別に対して、制御対象機器における動作を制御するための動作制御情報を含むイベント定義テンプレートを登録した記憶部と、前記制御対象機器の動作を制限する設定を行なうイベント管理手段と、前記制御対象機器とから構成された情報管理システムを用いて、情報管理を行なう方法であって、前記イベント種別について、イベント場所とイベント期間、イベントへの参加者により定められたイベント要件に含まれる参加者が利用する制御対象機器は、現在位置と現在日時とを含む現在状況を特定し、イベントへの参加者が利用する制御対象機器に対して、イベント場所とイベント期間を要素とするイベント条件について、前記記憶部に登録された前記イベント種別に対応するイベント定義テンプレートに含まれる動作制御情報からなるイベント定義と、前記現在状況とを比較し、この比較結果に応じて、前記動作制御情報に基づいて、前記制御対象機器の動作を制御することを要旨とする。
【手続補正１４】
【補正対象書類名】明細書
【補正対象項目名】００２６
【補正方法】変更
【補正の内容】
【００２６】
（作用）
請求項１又は１４に記載の発明によれば、イベント期間、場所及び参加者が登録された場合、この参加者の制御対象機器の現在位置と現在時刻に基づいて、制御対象機器の動作を制御するためのイベント定義を生成することができる。
請求項２又は１５に記載の発明によれば、イベント期間、場所及び参加者が登録された場合、イベント要件に記録された参加者が利用する制御対象機器を特定し、制御対象機器
の動作を制御することができる。これにより、場所や期間、状況に応じて、制御対象機器のセキュリティ管理を効率的に行なうことができる。
請求項３又は１６に記載の発明によれば、イベント種別について、イベント場所とイベント期間、イベントへの参加者により定められたイベント要件に含まれる参加者が利用する制御対象機器は、現在位置と現在日時とを含む現在状況を特定し、イベントへの参加者が利用する制御対象機器に対して、イベント場所とイベント期間を要素とするイベント条件について、前記記憶部に登録された前記イベント種別に対応するイベント定義テンプレートに含まれる動作制御情報からなるイベント定義と、前記現在状況とを比較し、この比較結果に応じて、前記動作制御情報に基づいて、前記制御対象機器の動作を制御する。これにより、場所や期間、状況に応じて、制御対象機器のセキュリティ管理を効率的に行なうことができる。
【手続補正１５】
【補正対象書類名】明細書
【補正対象項目名】００２７
【補正方法】変更
【補正の内容】
【００２７】
請求項４に記載の発明によれば、制御対象機器は、現在状況とイベント条件との比較結果において一部に不整合がある場合、不整合の内容を確認するためのセキュリティ確認処理を実行する。そして、セキュリティ確認処理において、不整合の内容に問題がないことを確認ができた場合に、比較結果において不整合がない場合の動作制御情報に基づいて、制御対象機器の動作を制御する。これにより、想定外の状況が生じた場合にも、セキュリティ状況を確認した上で動作制御を変更することができる。
請求項５に記載の発明によれば、不整合の内容が予め定められた許容範囲内にある場合に、セキュリティ確認処理を実行する。これにより、イベント条件とのずれが小さい場合に、セキュリティ確認処理により、所定の動作を許容する制御に変更することができる。
請求項６に記載の発明によれば、セキュリティが確保された場所の特定情報に関連付けたセキュリティエリア動作制御情報と、セキュリティが確保されていない場所の特定情報に関連付けた非セキュリティエリア動作制御情報とが初期設定される。これにより、イベントが登録されていない場合であっても、初期設定によりセキュリティを考慮した動作制御を行なうことができる。
【手続補正１６】
【補正対象書類名】明細書
【補正対象項目名】００２８
【補正方法】変更
【補正の内容】
【００２８】
請求項７に記載の発明によれば、イベント定義テンプレートにおいては、イベント種別に対して、イベント場所及びイベント期間に付随する期間における動作制御情報が設定されている。これにより、イベントの期間や場所を登録すれば、イベント前やイベント後等の付随期間における動作制御情報を負担なく設定することができる。
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】変更
【補正の内容】
【００３１】
請求項８に記載の発明によれば、制御対象機器は、イベント期間前に、イベント要件に含まれるファイル識別子のファイルをファイルサーバから取得し、制御対象機器内の一時記憶手段に格納する。そして、比較結果に応じて、一時記憶手段に格納されたファイルであって、動作制御情報により設定されたアクセス権限に基づいて、ファイルへのアクセスを許可する。これにより、制御対象機器に格納されたファイルを、イベントにおいて利用することができる。従って、ネットワークを利用ができない場合にも、セキュリティを確保しながら、ファイルを利用することができる。
【手続補正２０】
【補正対象書類名】明細書
【補正対象項目名】００３２
【補正方法】変更
【補正の内容】
【００３２】
請求項９に記載の発明によれば、制御対象機器は、イベントにおいて用いるファイルを、イベント要件において設定されたアクセス権限に応じたフォルダに格納する。そして、動作制御情報により設定されたアクセス権限に基づいて、各フォルダへのアクセスを許可する。これにより、フォルダに対するアクセス権限により、ファイルの利用制限を行なうことができる。
【手続補正２１】
【補正対象書類名】明細書
【補正対象項目名】００３３
【補正方法】変更
【補正の内容】
【００３３】
請求項１０に記載の発明によれば、制御対象機器は、比較結果においてイベント場所から離れたことを検知した場合、又はイベント期間の終了を検知した場合、一時記憶手段に格納されたファイルを消去する。これにより、イベントを終了したファイルを削除することにより、セキュリティ管理を的確に行なうことができる。
【手続補正２２】
【補正対象書類名】明細書
【補正対象項目名】００３４
【補正方法】変更
【補正の内容】
【００３４】
請求項１１に記載の発明によれば、制御対象機器は、比較結果に応じて、動作制御情報に含まれるアプリケーション識別子のアプリケーションの動作を制御する。これにより、イベントの期間や場所を考慮して、アプリケーションの動作を制御することができる。例えば、イベントにおいて利用するアプリケーションの起動を許可する動作制御を行なうことができる。又、盗難等においては、アプリケーションを自動的に起動させて、情報収集を行なうことができる。また、所定のアプリケーションについては起動を禁止することができる。更に、イベントにおいて必要なアプリケーションのインストール等の動作制御を行なうことができる。
【手続補正２３】
【補正対象書類名】明細書
【補正対象項目名】００３５
【補正方法】変更
【補正の内容】
【００３５】
請求項１２に記載の発明によれば、制御対象機器は、比較結果に応じて、動作制御情報に含まれる待機時間に基づいてセキュリティロックを起動する。これにより、イベントの期間や場所を考慮して、スクリーンロック等の動作制限を行なうことができる。
【手続補正２４】
【補正対象書類名】明細書
【補正対象項目名】００３６
【補正方法】変更
【補正の内容】
【００３６】
請求項１３に記載の発明によれば、イベント管理手段は、特定の期間内に行なわれる、予め設定された相互関係がある複数のイベントからなるイベント群を特定した場合、イベント群に含まれる一部のイベントの動作制御情報に基づいて、イベント群に含まれる他のイベントの動作制御情報を修正する。これにより、特定の期間内（例えば、同時期や所定期間内）に行なわれる複数のイベントの相互関係に基づいて、動作制限を調整することができる。例えば、イベントを複数階層で重畳させた場合や、所定期間内に複数のイベントが行なわれる場合に、相互関係に基づいて、それぞれのイベントを制御することができる。